(57)【要約】【課題】高所に設置された場合でも効率よくフィルタ交換作業が行えるフィルタ装置を提供する。【解決手段】フィルタ６を取付枠５の下方の待機位置と取付枠５内の組込位置との間で昇降させる昇降機構７と、組込位置のフィルタ６を取付枠５に押し付けるフィルタ押付機構８とを備えたフィルタ装置に、昇降機構７の昇降モータ２０およびフィルタ押付機構８の押付モータ３４を制御する制御器９を設け、その制御器９に遠隔操作信号を送るだけで、待機位置にあるフィルタ６を組込位置まで上昇させて取付枠５に押し付けたり、装着状態のフィルタ６の取付枠５への押し付けを解除して、そのフィルタ６を待機位置まで下降させたりできるものとすることにより、高所に設置された場合でも、効率よく安全にフィルタ交換作業を行えるようにしたのである。【選択図】図２
2019063739.tif 000002
【特許請求の範囲】
【請求項１】
平板状のフィルタと、前記フィルタを下方から受け入れる組込口を有する枠体と、前記フィルタを前記枠体の下方の待機位置と枠体内の組込位置との間で枠体の組込口を通して昇降させる昇降機構と、前記枠体内に組み込まれたフィルタの一面の周縁部を前記枠体のフィルタ受け面に押し付けるフィルタ押付機構とを備えており、
前記昇降機構は、前記枠体の上部に回転自在に保持される回転ドラムと、前記回転ドラムを回転駆動する昇降モータと、前記回転ドラムにフィルタを連結する吊下げ部材とを備え、前記昇降モータに回転駆動された回転ドラムが吊下げ部材を巻き取ることにより前記フィルタを上昇させるものであり、
前記フィルタ押付機構は、前記フィルタの他面の周縁部とこれに対向する前記枠体のフィルタ保持面との間に配され、前記枠体に固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された直動軸と、前記直動軸を軸方向移動させる直動駆動部とを備え、前記直動駆動部が直動軸を軸方向の所定位置まで移動させたときに、前記板ばねの傾斜部と前記フィルタの他面とのなす角度が大きくなって、前記板ばねの押圧部で前記フィルタの他面を押圧するものであり、
前記枠体には、遠隔操作信号を受けて前記昇降機構の昇降モータおよび前記フィルタ押付機構の直動駆動部を制御する制御器が設けられており、
前記フィルタが前記待機位置にある状態で、前記制御器にフィルタ組込みの遠隔操作信号を送ると、前記昇降モータが回転ドラムを回転駆動してフィルタを前記組込位置まで上昇させた後、前記直動駆動部が直動軸を前記所定位置まで移動させて、前記フィルタの枠体への押し付けが行われ、
前記フィルタが前記組込位置にある状態で、前記制御器にフィルタ取外しの遠隔操作信号を送ると、前記直動駆動部が直動軸を初期位置まで移動させて、前記フィルタの枠体への押し付けが解除された後、前記昇降モータが回転ドラムをフィルタ組込み時と逆方向に回転駆動してフィルタを前記待機位置まで下降させるようになっているフィルタ装置。
【請求項２】
前記枠体は、前記組込口がその下端に近づくほど前記フィルタの厚み方向に広がっていることを特徴とする請求項１に記載のフィルタ装置。
【請求項３】
前記枠体は、前記組込位置にあるフィルタの側端面と対向する面の下部に、斜め上方に向かって延び、前記フィルタが前記組込口を通過するときにフィルタの側端面を案内する案内板が設けられていることを特徴とする請求項１または２に記載のフィルタ装置。
【請求項４】
前記フィルタは、その下端部から厚み方向に張り出し、上方から落下してくる異物を受ける受け皿が設けられていることを特徴とする請求項１乃至３のいずれかに記載のフィルタ装置。
【請求項５】
前記フィルタが前記吊下げ部材に脱着可能に連結されていることを特徴とする請求項１乃至４のいずれかに記載のフィルタ装置。
【発明の詳細な説明】
【技術分野】
【０００１】
本発明は、工場等の建屋内の換気のためにその建屋の高所に換気扇等とともに設置されるフィルタ装置に関する。
【背景技術】
【０００２】
工場や倉庫等では、建屋の換気（建屋への給気または建屋からの排気）を行うための開口が建屋の壁の高所に設けられ、この開口に有圧換気扇等とともにフィルタ装置が設置されることが多い。このような高所に設置されるフィルタ装置は、一般に、建屋の壁に取り付けられる取付枠等の枠体にフィルタが着脱可能に組み込まれており、定期的にフィルタの交換を行うことにより、フィルタに捕捉された異物の増加による換気効率の低下を防止するようになっている。なお、「フィルタの交換」とは、枠体から取り外したフィルタの濾材を洗浄・再生した後にそのフィルタを再び枠体に組み込む場合も含むものとする（以下同じ）。
【０００３】
ところで、上記のようにフィルタを枠体に着脱可能に組み込んだフィルタ装置では、その濾過性能を確保するために、フィルタの一面の周縁部を枠体のフィルタ受け面に密着させた状態を維持する必要がある。このため、従来は、ネジでフィルタを枠体のフィルタ受け面に固定したり、フィルタ他面と対向するように枠体に固定したばねでフィルタを枠体のフィルタ受け面に押し付けて固定したりしていた。
【０００４】
しかし、ネジを用いる方法では、フィルタを着脱する際に多数のネジの抜き取りおよび締め付けに時間がかかり、フィルタ交換作業が面倒なものとなる。一方、固定のばねを用いる方法では、フィルタの着脱の際に、ばねの弾性力に抗してフィルタの周縁部を枠体のフィルタ受け面とばねとの間に圧入したり引き出したりすることになるので、フィルタの一面の周縁部にガスケット等の気密材を貼り付けている場合、その気密材がフィルタ受け面との間に生じる摺動抵抗によって剥がれてしまい、その補修作業に手間がかかることがある。
【０００５】
これに対し、本出願人は、フィルタの一面の周縁部を枠体のフィルタ受け面に押し付けるフィルタ押付機構として、フィルタの他面の周縁部とこれに対向する枠体のフィルタ保持面との間に配され、枠体またはフィルタに固定される一端部からフィルタの他面に対して傾斜した方向に延びる傾斜部とこの傾斜部の他端側に形成される押圧部を有する板ばねを備え、この板ばねを傾斜部とフィルタ他面とのなす角度が大きくなるように操作部材で弾性変形させて、その押圧部でフィルタの他面または枠体のフィルタ保持面を押圧するものを提案した（特許文献１）。このフィルタ押付機構を採用すれば、ネジや固定のばねを用いてフィルタを枠体に押付固定する方法に比べて容易にフィルタ交換が行えるし、フィルタを着脱する際にフィルタに貼り付けた気密材が剥がれるおそれもない。
【先行技術文献】
【特許文献】
【０００６】
【特許文献１】特許第５８５５３０１号公報
【発明の概要】
【発明が解決しようとする課題】
【０００７】
しかしながら、上記のフィルタ押付機構を採用したフィルタ装置であっても、工場等の高所に設置されていると、フィルタ交換時には、フィルタ装置の設置された壁に梯子をかけるか、その壁の近くに脚立を立て、その梯子や脚立に登って操作部材を操作することが必要となるので、安全性を確保するための準備を含めた交換作業はかなり手間がかかるものとなってしまう。
【０００８】
そこで、本発明は、高所に設置された場合でも効率よくフィルタ交換作業が行えるフィルタ装置を提供することを課題とする。
【課題を解決するための手段】
【０００９】
上記の課題を解決するため、本発明のフィルタ装置は、平板状のフィルタと、前記フィルタを下方から受け入れる組込口を有する枠体と、前記フィルタを前記枠体の下方の待機位置と枠体内の組込位置との間で枠体の組込口を通して昇降させる昇降機構と、前記枠体内に組み込まれたフィルタの一面の周縁部を前記枠体のフィルタ受け面に押し付けるフィルタ押付機構とを備えており、前記昇降機構は、前記枠体の上部に回転自在に保持される回転ドラムと、前記回転ドラムを回転駆動する昇降モータと、前記回転ドラムにフィルタを連結する吊下げ部材とを備え、前記昇降モータに回転駆動された回転ドラムが吊下げ部材を巻き取ることにより前記フィルタを上昇させるものであり、前記フィルタ押付機構は、前記フィルタの他面の周縁部とこれに対向する前記枠体のフィルタ保持面との間に配され、前記枠体に固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された直動軸と、前記直動軸を軸方向移動させる直動駆動部とを備え、前記直動駆動部が直動軸を軸方向の所定位置まで移動させたときに、前記板ばねの傾斜部と前記フィルタの他面とのなす角度が大きくなって、前記板ばねの押圧部で前記フィルタの他面を押圧するものであり、前記枠体には、遠隔操作信号を受けて前記昇降機構の昇降モータおよび前記フィルタ押付機構の直動駆動部を制御する制御器が設けられており、前記フィルタが前記待機位置にある状態で、前記制御器にフィルタ組込みの遠隔操作信号を送ると、前記昇降モータが回転ドラムを回転駆動してフィルタを前記組込位置まで上昇させた後、前記直動駆動部が直動軸を前記所定位置まで移動させて、前記フィルタの枠体への押し付けが行われ、前記フィルタが前記組込位置にある状態で、前記制御器にフィルタ取外しの遠隔操作信号を送ると、前記直動駆動部が直動軸を初期位置まで移動させて、前記フィルタの枠体への押し付けが解除された後、前記昇降モータが回転ドラムをフィルタ組込み時と逆方向に回転駆動してフィルタを前記待機位置まで下降させるようになっている構成を採用した。
【００１０】
上記の構成によれば、制御器にフィルタ組込みの遠隔操作信号を送るだけで、待機位置にあるフィルタを組込位置まで上昇させて枠体に押し付けることができ、制御器にフィルタ取外しの遠隔操作信号を送るだけで、装着状態のフィルタの枠体への押し付けを解除して、そのフィルタを待機位置まで下降させることができる。したがって、フィルタ装置が高所に設置された場合でも、制御器への遠隔操作信号の送信と、待機位置での吊下げ部材へのフィルタの付け替えだけで、効率よく安全にフィルタ交換作業を行うことができる。
【００１１】
ここで、前記枠体を、前記組込口がその下端に近づくほど前記フィルタの厚み方向に広がっている構成とすれば、フィルタを待機位置から上昇させるときに、フィルタが枠体の下方で厚み方向に多少揺れても組込口の下端に引っ掛かりにくくなるので、フィルタの装着をよりスムーズに行うことができる。
【００１２】
また、前記枠体を、前記組込位置にあるフィルタの側端面と対向する面の下部に、斜め上方に向かって延び、前記フィルタが前記組込口を通過するときにフィルタの側端面を案内する案内板が設けられている構成とすれば、フィルタの装着時の幅方向位置精度が高まり、濾過性能を確保しやすくなる。
【００１３】
そして、前記フィルタを、その下端部から厚み方向に張り出し、上方から落下してくる異物を受ける受け皿が設けられている構成とすれば、フィルタに捕集された後に脱落した異物が受け皿に溜まって飛散しないので、フィルタ装置の周囲の空気環境を良好に保つことができる。
【００１４】
また、前記フィルタが前記吊下げ部材に脱着可能に連結されている構成とすれば、フィルタを吊下げ部材に固定的に連結した場合に比べて、待機位置での吊下げ部材へのフィルタの付け替えを容易に行える。
【発明の効果】
【００１５】
本発明のフィルタ装置は、上述したように、遠隔操作信号を受けてフィルタの昇降動作および枠体への押付動作を制御する制御器を設け、その制御器に遠隔操作信号を送るだけで、枠体の下方の待機位置にあるフィルタを枠体内の組込位置まで上昇させて枠体に押し付けたり、装着状態のフィルタの枠体への押し付けを解除して、そのフィルタを待機位置まで下降させたりできるようにしたものであるから、高所に設置された場合でも、効率よく安全にフィルタ交換作業を行うことができる。
【図面の簡単な説明】
【００１６】
【図１】実施形態のフィルタ装置の使用状態を説明する概略図
【図２】図１のフィルタ装置のフィルタ着脱途中の状態を示す斜視図
【図３】図２の正面断面図
【図４】図３の左側のフィルタ押付機構付近の正面断面図
【図５】図４のＶ−Ｖ線に沿った断面図
【図６】図４の要部を拡大した正面断面図
【図７】図５に対応する断面でのフィルタ上昇動作の説明図
【図８】ａ、ｂは、それぞれ図６、図５に対応したフィルタ押し付け動作の説明図
【図９】実施形態のフィルタ装置の別の使用状態を説明する概略図
【図１０】実施形態のフィルタ装置のさらに別の使用状態を説明する概略図
【発明を実施するための形態】
【００１７】
以下、図面に基づき、本発明の実施形態を説明する。このフィルタ装置１は、図１に示すように、工場等の建屋の内外を仕切る壁２の高所にあけられた開口２ａを有圧換気扇３と一体に建屋の内側から塞ぐ状態で設置されるものであり、有圧換気扇３を稼働することにより、建屋外の空気が壁２の外側面に取り付けられたフード４から有圧換気扇３とフィルタ装置１を通って建屋内に供給されるようになっている。
【００１８】
そして、このフィルタ装置１は、図１乃至図３に示すように、前記壁２の内側面に固定された有圧換気扇３に取り付けられ、前面（有圧換気扇３を向く面）から後面（建屋内側を向く面）に空気を通す取付枠（枠体）５と、取付枠５に下方から組み込まれる平板状のフィルタ６と、フィルタ６を取付枠５の下方の待機位置と取付枠５内の組込位置との間で昇降させる昇降機構７と、取付枠５内に組み込まれたフィルタ６の前面（一面）の周縁部を取付枠５に押し付けるフィルタ押付機構８と、昇降機構７およびフィルタ押付機構８を制御する制御器９とを備えている。
【００１９】
前記取付枠５は、全体が矩形に形成されており、昇降機構７の駆動部が収容されている上辺部１０と、フィルタ押付機構８が収容されている左右の側辺部１１と、フィルタ６を下方から受け入れる組込口となっている下辺部１２とからなる。そして、図示は省略するが、上辺部１０および両側辺部１１が、適宜の手段で有圧換気扇３の吹出側の開口縁部に取り付けられている。
【００２０】
この取付枠５の上辺部１０は下方に開口する断面コの字形に形成されており、両側辺部１１の形状は、それぞれ内方に開口する断面コの字形の一端部が他端側に折り曲げられたものとなっている。また、下辺部（組込口）１２は、上下に開口してフィルタ６が通過可能となっており、その下端に近づくほどフィルタ６の厚み方向に広がるように形成されている。そして、両側辺部１１の側壁の内側面すなわち組込位置にあるフィルタ６の側端面と対向する面の下部には、その面から斜め上方に向かって延びて、上端部が側辺部１１と平行に延びるように折り曲げられ、フィルタ６が下辺部（組込口）１２を通過するときにその側端面を案内する案内板１３が設けられている。
【００２１】
前記フィルタ６は、矩形板状に形成された濾材１４の周縁部を矩形のフィルタ枠１５で覆ったもので、濾材１４の両面に補強用線材（図示省略）を配して、空気が通過するときに濾材１４がフィルタ枠１５から抜け落ちないようにしている。そのフィルタ枠１５の上面には、フィルタ６の幅方向の２箇所に、後述するようにフィルタ６を昇降機構７で昇降するための吊り輪１６が取り付けられている。また、フィルタ枠１５の前面には、取付枠５との間をシールするガスケット（図示省略）が貼り付けられている。そして、フィルタ枠１５の下面に断面コの字状の受け皿１７の底部が取り付けられ、その受け皿１７がフィルタ６の前後面から厚み方向に張り出す張出部で上方から落下してくる異物を受けるようになっている。
【００２２】
前記昇降機構７は、取付枠５の上辺部１０の後壁に両端部を回転自在に支持された回転軸１８と、回転軸１８の軸方向の２箇所に固定された回転ドラム１９と、回転軸１８を介して各回転ドラム１９を回転駆動する昇降モータ２０と、各回転ドラム１９にフィルタ６を連結する吊下げ部材２１とを備えている。吊下げ部材２１は、各回転ドラム１９に一端を固定された２本のロープ２２の他端を帯板状の連結板２３に固定し、その連結板２３の両端部に、フィルタ６の吊り輪１６に掛けられるフック２４を取り付けたものである。これにより、昇降モータ２０で各回転ドラム１９を回転駆動すると、ロープ２２が回転ドラム１９に巻き取られて連結板２３とともにフィルタ６が上昇するか、あるいはロープ２２が回転ドラム１９から繰り出されてフィルタ６が下降するようになっている。また、フィルタ６が吊下げ部材２１に脱着可能に連結されているので、フィルタを吊下げ部材に固定的に連結した場合に比べて、待機位置での吊下げ部材２１へのフィルタ６の付け替えを容易に行える。
【００２３】
前記フィルタ押付機構８は、図４および図５に示すように、フィルタ６の後面（他面）の周縁部とこれに対向する取付枠５のフィルタ保持面２５となる側辺部１１後壁の内側面との間に配され、そのフィルタ保持面２５に一端部２６ａを固定される板ばね２６と、板ばね２６の長手方向に沿って延びるように配される丸棒状の直動軸２７と、直動軸２７の上端部を通す状態でフィルタ保持面２５に固定される第１のガイド片２８と、直動軸２７を軸方向移動させる直動駆動部２９とからなり、後述するように、直動軸２７の軸方向移動により板ばね２６を弾性変形させて、フィルタ６の前面（一面）の周縁部を、これに対向する取付枠５のフィルタ受け面３０となる側辺部１１の前壁の内側面に押し付けるものである。なお、板ばね２６は、取付枠５の高さ方向の２箇所に設けられている（図１乃至図３参照）。
【００２４】
前記各板ばね２６は、取付枠５のフィルタ保持面２５に固定される一端部２６ａとフィルタ６の後面に対して垂直に延びる他端部２６ｂとの間に、フィルタ６の後面に向かって凸となる湾曲部２６ｃが形成されている。その湾曲部２６ｃは、両端部２６ａ、２６ｂからフィルタ６後面に対して傾斜した方向に延びる傾斜部と、両傾斜部の間で後述するようにフィルタ６後面を押圧する押圧部とからなる。また、湾曲部２６ｃの両端近傍位置および他端部２６ｂには、それぞれ直動軸２７を通す長孔２６ｄ、２６ｅおよび円形孔（図示省略）が設けられている。そして、湾曲部２６ｃの長孔２６ｄ、２６ｅは、直動軸２７の外径とほぼ同じ幅で板ばね２６の長手方向に延びており、湾曲部２６ｃの弾性変形に合わせて直動軸２７を通す位置を変えながら、直動軸２７の板ばね２６幅方向の動きを規制して、直動軸２７の長手方向移動を案内するようになっている。
【００２５】
前記直動軸２７は、その上端部が第１のガイド片２８に通され、軸方向の２箇所で板ばね２６の他端部２６ｂの円形孔周縁部に接着されることにより、各板ばね２６と連結されている。そして、第１のガイド片２８と上側の板ばね２６の他端部２６ｂとの間の部位が直動駆動部２９に連結され、後述する直動駆動部２９の駆動によって軸方向移動するようになっている。
【００２６】
前記直動駆動部２９は、図６にも示すように、直動軸２７と平行に延びるねじ軸３１を直動軸２７の斜め上方に配し、そのねじ軸３１の下端部と直動軸２７の上端部をそれぞれ連結ブロック３２に通した状態でねじ止めして、ねじ軸３１と直動軸２７を連結するとともに、ねじ軸３１の軸方向中央部にねじ結合した中間歯車３３を、押付モータ３４の主軸３４ａに取り付けた駆動歯車３５と噛み合わせたものである。そのねじ軸３１は、直動軸２７と同様に第１のガイド片２８に通されるとともに、中間歯車３３よりも上方でフィルタ保持面２５に固定される第２のガイド片３６に通されている。また、中間歯車３３は、ねじ軸３１を通す状態で第１、第２のガイド片２８、３６に取り付けられた一対の管状部材３７に挟まれて、回転可能かつ軸方向移動不能に保持されている。
【００２７】
そして、上記の構成では、ねじ軸３１が連結ブロック３２に回転不能に固定され、ねじ軸３１にねじ結合した中間歯車３３が軸方向移動不能に保持されているので、押付モータ３４が駆動されて、その回転が駆動歯車３５を介して中間歯車３３に伝達されると、中間歯車３３の回転に伴ってねじ軸３１が直動軸２７と一体に軸方向移動することになる。
【００２８】
前記制御器９は、図１乃至図３に示すように、取付枠５の上辺部１０の前壁内側面に取り付けられ、外部から遠隔操作信号を受けて、昇降機構７の昇降モータ２０およびフィルタ押付機構８の直動駆動部２９の押付モータ３４を制御するもので、その昇降モータ２０および押付モータ３４とは図示省略した配線でつながれている。
【００２９】
次に、このフィルタ装置１のフィルタ着脱動作について説明する。
【００３０】
フィルタ６を取付枠５に装着するときは、フィルタ６が取付枠５の下方の待機位置で昇降機構７の吊下げ部材２１に吊下げられている状態で、制御器９にフィルタ組込みの遠隔操作信号を送る。すると、その信号を受けた制御器９が昇降機構７の昇降モータ２０を始動させ、昇降モータ２０が回転軸１８と一体に各回転ドラム１９を回転駆動することにより、吊下げ部材２１のロープ２２が回転ドラム１９に巻き取られて、連結板２３とともにフィルタ６が上昇する。
【００３１】
このとき、フィルタ６は、図７に示すように、取付枠５の下方で厚み方向に多少揺れても、取付枠５の下辺部（組込口）１２が下端側ほどフィルタ６の厚み方向に広がっているため、その下辺部１２の下端に引っ掛かることなくスムーズに取付枠５内に入っていく。また、フィルタ６が取付枠５の下辺部１２を通過するときは、その両側端面が取付枠５の側辺部１１から斜め上方に向かって延びる案内板１３に案内されるので、幅方向に位置ずれすることなく上昇していく。
【００３２】
フィルタ６が取付枠５内を上昇して組込位置に達すると、取付枠５の上辺部１０に取り付けられたリミットスイッチ（図示省略）が作動して、その信号を受けた制御器９が昇降モータ２０を停止させることにより、フィルタ６の上昇が停止する。
【００３３】
昇降モータ２０を停止させた制御器９は、その直後にフィルタ押付機構８の直動駆動部２９の押付モータ３４を始動させる。すると、図８（ａ）に示すように、押付モータ３４の回転が駆動歯車３５を介して中間歯車３３に伝達され、中間歯車３３が軸方向移動不能に保持された状態で回転することにより、中間歯車３３とねじ結合しているねじ軸３１が連結ブロック３２および直動軸２７と一体に下方へ軸方向移動する。
【００３４】
このとき、図８（ｂ）に示すように、フィルタ押付機構８の各板ばね２６は、直動軸２７の軸方向移動に伴って、直動軸２７に連結された他端部２６ｂが取付枠５のフィルタ保持面２５に固定された一端部２６ａに近づき、湾曲部２６ｃの湾曲が大きくなって、その湾曲部２６ｃでフィルタ６の後面を押圧する。すなわち、板ばね２６は、弾性変形によって、湾曲部２６ｃのうちの傾斜部とフィルタ６後面とのなす角度が大きくなって、両傾斜部の間の押圧部でフィルタ６後面を押圧して、フィルタ６前面を取付枠５のフィルタ受け面３０に押し付ける。
【００３５】
そして、押付モータ３４の始動から所定時間が経過すると、制御器９がタイマーで押付モータ３４を停止させる。これにより、フィルタ６が取付枠５のフィルタ受け面３０に押し付けられた状態で固定され、フィルタ６の装着が完了する。
【００３６】
一方、フィルタ６を取付枠５から取り外すときには、フィルタ６が取付枠５内の組込位置で取付枠５に押付固定されている状態で、制御器９にフィルタ取外しの遠隔操作信号を送る。すると、その信号を受けた制御器９がフィルタ組込み時と逆方向に押付モータ３４を始動させ、ねじ軸３１と直動軸２７を一体に上方へ軸方向移動させる。そして、ねじ軸３１と直動軸２７が初期位置に戻ると、ねじ軸３１の上端部が取付枠５に取り付けられたリミットスイッチ３８（図４参照）を作動させ、その信号を受けた制御器９が押付モータ３４を停止させることにより、フィルタ６の取付枠５への押し付けが解除された状態で、ねじ軸３１および直動軸２７の軸方向移動が停止する。
【００３７】
押付モータ３４を停止させた制御器９は、その直後にフィルタ組込み時と逆方向に昇降モータ２０を始動させ、回転軸１８と一体に各回転ドラム１９を回転駆動する。すると、吊下げ部材２１のロープ２２が回転ドラム１９から繰り出されて連結板２３とフィルタ６が下降する。そして、昇降モータ２０の始動から所定時間が経過すると、制御器９が昇降モータ２０を停止させる。これにより、フィルタ６が待機位置で停止するので、その後にフィルタ６を吊下げ部材２１から取り外せばよい。
【００３８】
このフィルタ装置は、上述したように、制御器９にフィルタ組込みの遠隔操作信号を送るだけで、待機位置にあるフィルタ６を組込位置まで上昇させて取付枠５に押し付けることができ、制御器９にフィルタ取外しの遠隔操作信号を送るだけで、装着状態のフィルタ６の取付枠５への押し付けを解除して、そのフィルタ６を待機位置まで下降させることができる。したがって、制御器９への遠隔操作信号の送信と、待機位置での吊下げ部材２１へのフィルタ６の付け替えだけで、効率よく安全にフィルタ交換作業を行うことができる。
【００３９】
しかも、フィルタ６は、待機位置から上昇するときには、取付枠５の下辺部（組込口）１２の下端に引っ掛かることなくスムーズに取付枠５内に入っていくし、取付枠５内では案内板１３に側端面を案内されて幅方向の位置ずれを生じないので、フィルタ６装着時の幅方向位置精度が高く、濾過性能を確保しやすい。
【００４０】
さらに、フィルタ６の下端部には厚み方向に張り出す受け皿１７が設けられているので、フィルタ６に捕集された後、そのフィルタ６を取り外す際にフィルタ６から脱落した異物を飛散させることなく受け皿１７に溜めて、フィルタ装置１の周囲の空気環境を良好に保つことができる。
【００４１】
なお、昇降機構７の昇降モータ２０およびフィルタ押付機構８の押付モータ３４の停止タイミングの制御方法は、実施形態の方法に限らず、例えばタイマーとリミットスイッチを実施形態と逆に用いることも考えられる。しかし、フィルタ装置１の濾過性能を確保するには、フィルタ６を組込位置で精度よく停止させて適切な押付力で取付枠５に押し付ける必要があり、そのためには、上昇時のフィルタ６が組込位置に達したときの昇降モータ２０の停止、および押付解除時の直動軸２７が初期位置に戻ったときの押付モータ３４の停止は、実施形態のようにリミットスイッチを用いて制御することが望ましい。また、フィルタ６の取付枠５への押付力は直動軸２７の停止位置によって変わるので、実施形態のようにタイマーで押付モータ３４を停止させた方が、フィルタ６のガスケットのへたり等に応じて押付力を容易に調整できて好ましい。
【００４２】
また、フィルタ押付機構の板ばねは、実施形態のように一端部と他端部の間に湾曲部が形成されたものに限らず、例えば実施形態の板ばね２６の他端部２６ｂをなくし、一端部２６ａの近傍で直動軸２７に連結されるようにしたもの等、一端部からフィルタの他面に対して傾斜した方向に延びる傾斜部を有し、一端部を除く部位で操作部材に連結され、傾斜部とフィルタ他面とのなす角度が大きくなったときに、傾斜部の他端側に形成された押圧部でフィルタの他面を押圧するようになっているものであればよい。
【００４３】
また、フィルタ押付機構の直動駆動部も、実施形態のような押付モータとねじ軸を用いたもののほか、直動アクチュエータ等を用いることもできる。
【００４４】
本発明は、図１のように建屋への給気用の有圧換気扇３と一体に設置されるフィルタ装置１だけでなく、高所の空気通路に設置されるフィルタ装置に広く適用できる。例えば、図９は、上述した実施形態のフィルタ装置１を建屋からの排気を行う有圧換気扇３と一体に設置した例を示す。この例では、壁２の開口２ａ周縁部の内側面にフィルタ装置１の取付枠５を固定し、その取付枠５に有圧換気扇３を取り付けている。また、図１０は、建屋等の高所に配設されたダクト３９の途中に、実施形態のフィルタ装置１を単独で設置した例を示す。
【００４５】
さらに、本発明のうち、遠隔操作信号によってフィルタを取付枠に押し付ける部分の構成は、高所に設置されるフィルタ装置だけでなく、人手でのフィルタの押付けや押付解除がしにくい場所に設置されるフィルタ装置に広く応用することができる。
【符号の説明】
【００４６】
１  フィルタ装置
２  壁
３  有圧換気扇
４  フード
５  取付枠（枠体）
６  フィルタ
７  昇降機構
８  フィルタ押付機構
９  制御器
１０  上辺部
１１  側辺部
１２  下辺部（組込口）
１３  案内板
１４  濾材
１５  フィルタ枠
１６  吊り輪
１７  受け皿
１８  回転軸
１９  回転ドラム
２０  昇降モータ
２１  吊下げ部材
２２  ロープ
２３  連結板
２４  フック
２５  フィルタ保持面
２６  板ばね
２６ａ  一端部
２６ｂ  他端部
２６ｃ  湾曲部
２７  直動軸
２８  第１のガイド片
２９  直動駆動部
３０  フィルタ受け面
３１  ねじ軸
３２  連結ブロック
３３  中間歯車
３４  押付モータ
３５  駆動歯車
３６  第２のガイド片
３７  管状部材
３８  リミットスイッチ
３９  ダクト
【図１】
2019063739.tif 000003
【図２】
2019063739.tif 000004
【図３】
2019063739.tif 000005
【図４】
2019063739.tif 000006
【図５】
2019063739.tif 000007
【図６】
2019063739.tif 000008
【図７】
2019063739.tif 000009
【図８】
2019063739.tif 000010
【図９】
2019063739.tif 000011
【図１０】
2019063739.tif 000012